(57)【特許請求の範囲】
【請求項１】
出入口の床面に収納凹状体が埋設されており、その収納凹状体に、矩形の可動扉が、基端部を枢着させた状態で収納凹状体の開口を閉塞する倒伏位置から前記出入口を閉塞する起立位置まで回動可能に設置された防水扉装置であって、
前記可動扉の表面の基端縁際および左右両端縁際に止水ゴムが設けられており、
可動扉を起立させて、出入口に設けられた建具枠に前記止水ゴムを押圧させることによって、出入口を水密状態で閉塞するものであり、
前記可動扉の倒伏位置において、前記各止水ゴムが可動扉の表面よりも下方に位置するように設けられているとともに、
それらの各止水ゴムの上方に、蓋部材が着脱自在に設置されていることを特徴とする防水扉装置。
【請求項２】
前記可動扉の基端縁際に設置された止水ゴムの上方の蓋部材がグレーチングであることを特徴とする請求項１に記載の防水扉装置。
【発明の詳細な説明】
【技術分野】
【０００１】
本発明は、大雨時に建物内に浸水しないように出入口を閉塞するための防水扉装置に関するものである。
【背景技術】
【０００２】
従来の防水扉装置としては、出入口の床面に収納凹状体が埋設されており、矩形の可動扉を、収納凹状体に収納された倒伏状態から出入口を閉塞する起立位置まで回動可能に設けたものが知られている。かかる防水扉装置の中には、特許文献１の如く、出入口の左右に配置される建具枠（戸当たり）の前面にゴムパッキンが付設されており、可動扉を回動させると、可動扉の表面が建具枠のゴムパッキンに当接し、出入口が水密状態で閉塞されるように構成したものがある。
【先行技術文献】
【特許文献】
【０００３】
【特許文献１】特開２００８−６３７９９号公報
【発明の概要】
【発明が解決しようとする課題】
【０００４】
しかしながら、上記従来の防水扉装置は、可動扉のゴムパッキンが常時露出した状態になっており、劣化し易いため、長期間に亘って使用されると、出入口を十分な水密状態で閉塞することができなくなる、という不具合がある。加えて、可動扉のゴムパッキンが常時露出した状態となっているため、周囲の景観とマッチしにくく、出入口に設置すると景観を損ねてしまうこともあった。
【０００５】
本発明の目的は、上記従来の防水扉装置が有する問題点を解消し、長期間に亘って高い水密状態で出入口を閉塞することが可能である上、周囲の景観と良くマッチし、景観を損ねてしまう事態を生じさせない実用的な防水扉装置を提供することにある。
【課題を解決するための手段】
【０００６】
本発明の内、請求項１に記載された発明は、出入口の床面に収納凹状体が埋設されており、その収納凹状体に、矩形の可動扉が、基端部を枢着させた状態で収納凹状体の開口を閉塞する倒伏位置から前記出入口を閉塞する起立位置まで回動可能に設置された防水扉装置であって、前記可動扉の表面の基端縁際および左右両端縁際に止水ゴムが設けられており、可動扉を起立させて、出入口に設けられた建具枠に前記止水ゴムを押圧させることによって、出入口を水密状態で閉塞するものであり、前記可動扉の倒伏位置において、前記各止水ゴムが可動扉の表面よりも下方に位置するように設けられているとともに、それらの各止水ゴムの上方に、蓋部材が着脱自在に設置されていることを特徴とするものである。
【０００８】
請求項２に記載された発明は、請求項１に記載された発明において、前記可動扉の基端縁際に設置された止水ゴムの上方の蓋部材がグレーチングであることを特徴とするものである。
【発明の効果】
【０００９】
請求項１に記載の防水扉装置は、建物の建具枠ではなく可動扉に止水ゴムが設けられているため、通常状態（可動扉の倒伏状態）においては止水ゴムが目立たないので、意匠性に優れており、設置に伴って周囲の景観を損ねる事態が生じにくい。
【００１０】
また、請求項１に記載の防水扉装置は、通常状態においては、止水ゴムが風雨や紫外線の影響を受けにくいため、劣化しにいので、長期間に亘って出入口を水密状態で閉塞することができる。加えて、通常状態においては蓋部材によって止水ゴムが露出しないので、非常に意匠性が高く、周囲の景観にマッチし易い。
【００１１】
請求項２に記載の防水扉装置は、床面にグレーチングが敷設されている出入口に設置した場合に、それらのグレーチングと蓋部材とが良くマッチするため、景観に違和感を与える事態が生じない。
【図面の簡単な説明】
【００１２】
【図１】出入口に防水扉装置が設置された状態（可動扉が倒伏した状態）を示す説明図（平面図）である。
【図２】図１におけるＸ−Ｘ線断面を示す説明図である（ａは可動扉が倒伏した状態であり、ｂは可動扉が起立した状態である）。
【図３】図１におけるＺ−Ｚ線断面を示す説明図である。
【図４】出入口に防水扉装置が設置された状態（可動扉が起立した状態）を示す説明図（平面図）である。
【図５】図４におけるＡ部分を拡大して示す説明図である。
【図６】可動扉を起立させた防水扉装置の右側面を示す説明図である。
【発明を実施するための形態】
【００１３】
＜防水扉装置の構造＞
以下、本発明に係る防水扉装置の一実施形態について、図面に基づいて詳細に説明する。図１〜図６は、出入口に防水扉装置を設置した状態を示したものである。図１等に示すように、出入口Ｇには、断面Ｃ字状の鋼材（リップ溝形鋼）によって形成された２つの建具枠（当接枠、戸当たり）４１，４１が、所定の長さを隔てて、対峙するように設けられている。また、各建具枠４１，４１の外側には、それらの建具枠４１，４１の前面と連なるように壁体４２，４２が立設されている。さらに、各建具枠４１，４１の前方の外側には、側溝（図示せず）が設けられており、それらの側溝には、それぞれ、蓋材であるグレーチング２３，２３が嵌め込まれている。そして、当該出入口Ｇの前方（左右の側溝の間）には、防水扉装置１が設置されている。
【００１４】
防水扉装置１は、ハウジングとして機能する収納凹状体２と、防水扉として機能する可動扉３、基端部蓋部材４、側部蓋部材５，５等によって構成されている。収納凹状体２は、金属板によって横長で扁平な箱状に形成されており、出入口Ｇの前方の床面を扁平な直方体状に掘削して内周をコンクリートで固めてなる凹状部分の内部に設置されている。
【００１５】
図２に示すように、収納凹状体２の前方の鉛直な内壁面には、倒伏状態の可動扉３の先端縁際を載置するための前方載置突片６が左右に幅広に設けられている。また、収納凹状体２の左右の鉛直な内壁面には、倒伏状態の可動扉３の両端部（図３等における支持片１８，１８）を載置するための側方載置突片７，７が前後に幅広に設けられている。さらに、後方の鉛直な内壁面には、可動扉３が倒伏している場合に基端部蓋部材４の後端縁を載置するための後方載置突片８が幅広に設けられている。加えて、収納凹状体２の底面には、幅広な隔壁２５が立設されており、当該隔壁２５によって、内部が前後二つの領域に区分されている。また、収納凹状体２には、配水管（図示せず）が連結されており、当該配水管によって内部に侵入した水を排出することができるようになっている。
【００１６】
また、収納凹状体２の左右の鉛直な壁面の基端際には、それぞれ、支軸ピン３１，３１が内向きに突出するように設けられており、それらの支軸ピン３１，３１によって、可動扉３が下端縁を中心として片開き自在に枢着されている。可動扉３は、金属板を裁断、屈曲加工してなるベース部材９の表面に、扁平な板状の表層体１０を積層したものである。図１に示すように、ベース部材９の表面の左右の端縁際、および、後端縁から所定の距離を隔てた内側（前側）には、合成ゴムによって形成された細長い直方体状の止水部材（止水ゴム）３０が、平面視コ字状に屈曲した状態で固着されている。なお、以下の説明においては、止水部材３０のうち、ベース部材９の後端縁から所定の距離を隔てた内側の部分を第一止水部１４といい、ベース部材９の左右の端縁際の部分を第二止水部１９，１９という。
【００１７】
また、図２の如く、ベース部材９の基端側（前端側）は、先端側（後端側）より下方に位置するように折り曲げ形成されている（以下、この先端側より下方に位置に位置した部分を下段部１１という）。そして、その下段部１１の基端には、基端部蓋部材４を載置するための載置台１２が固着されている。さらに、ベース部材９の基端（後端）には、支軸ピン３１と係合させるための断面Ｌ字状の係合片１３が、ベース部材９の基端縁の略全幅に亘って幅広に設けられている。そして、当該係合片１３の基端（前端）には、止水部材３０の一部である第一止水部１４が、ベース部材９の基端縁の略全幅に亘って一直線状に固着されている。当該第一止水部１４は、係合片１３の基端およびベース部材９の基端際の裏面に固着（溶接）された断面Ｌ字状の支持部材１５と、ベース部材９の基端際の表面に固着（溶接）された断面Ｌ字状の支持部材１６とによって狭持された状態で固着されている。加えて、図１に示すように、可動扉３の表面の中央前方には、可動扉３を収納凹状体２の内部に収納した状態（収納凹状体２の開口部に蓋をした状態）で保持するためのロック部材１７が設置されている。
【００１８】
また、図３等に示すように、可動扉３のベース部材９の左右両端縁には、断面Ｌ字状で縦長な支持片１８，１８が、ベース部材９から垂れ下がるように固着（溶接）されている。そして、各支持片１８，１８の下端の折返し面には、止水部材３０の一部である第二止水部１９が、ベース部材９の基端縁に沿って一直線状に固着されている。当該第二止水部１９は、支持片１８の先端に固着（溶接）された断面Ｌ字状の支持部材２０と、支持片１８の屈曲部分に固着（溶接）された断面Ｌ字状の支持部材２１とによって狭持された状態で固着されている。
【００１９】
一方、図１の如く、基端部蓋部材４は、金属によって形成された扁平で横長な直方体状のグレーチング（帯状の鋼材を格子状に組んだもの）からなるものである。なお、当該基端部蓋部材４は、出入口Ｇの左右の前方の側溝に嵌め込まれたグレーチングと同じ構造・外観を有している。また、基端部蓋部材４は、可動扉３の横幅に左右の側部蓋部材５，５の横幅を加えた横幅を有しており、ベース部材９の下段部１１の前後幅と略同一の前後幅を有している。
【００２０】
また、側部蓋部材５，５は、金属製で中空な四角柱状のフレーム部材２３の表面に、細長な直方体状の表層体２４を積層した構造を有している（図３参照）。そして、表面の前方には、側部蓋部材５，５を収納凹状体２の内部に収納した状態（収納凹状体２の開口部に蓋をした状態）で保持するためのロック部材２４が設置されている（図１参照）。
【００２１】
＜防水扉装置の作用＞
上記の如く構成された防水扉装置１は、平常時には、可動扉３を倒伏させて、可動扉３の先端縁際を、収納凹状体２の前方載置突片６に載置させるとともに、可動扉３の基端の下段部１１の上方に、基端部蓋部材４を嵌め込み、当該基端部蓋部材４の前端縁および基端縁を、それぞれ、可動扉３の載置台１２、収納凹状体２の後方載置突片８に載置させる。また、可動扉３の左右の支持片１８，１８を、それぞれ、収納凹状体２の左右の側方載置突片７，７に載置させる。さらに、可動扉３の左右の支持片１８，１８の上方に、側部蓋部材５，５を嵌め込み、当該側部蓋部材５，５の前端際および後端際を、それぞれ、収納凹状体２の前方載置突片６、後方載置突片８に載置させる。かかる可動扉３の倒伏状態においては、可動扉３の基端に嵌め込まれた基端部蓋部材４と出入口Ｇの左右前方の側溝に嵌め込まれたグレーチングとが一直線状に配置される。
【００２２】
そして、大雨により出入口Ｇからの浸水が懸念される場合には、左右の側部蓋部材５，５のロック部材２４，２４を操作して、側部蓋部材５，５と収納凹状体２との係合状態を解除し、側部蓋部材５，５を取り外す。さらに、基端部蓋部材４を可動扉３から取り外した状態で、可動扉３のロック部材１７を操作して、可動扉３と収納凹状体２との係合状態を解除し、可動扉３の先端側を上方に持ち上げるようにして、可動扉３を基端を中心に回動させて起立状態にする。
【００２３】
可動扉３が起立状態となると、可動扉３の基端に設けられた止水ゴムである第一止水部１４が、収納凹状体２の後側の鉛直な内壁面に当接するとともに、可動扉３の左右両端際に設けられた止水ゴムである各第二止水部１９，１９が、それぞれ、出入口Ｇの左右に立設された建具枠４１，４１の前面に当接する。そのように、第一止水部１４が収納凹状体２の後側の内壁面に当接する（押圧する）とともに、各第二止水部１９，１９が左右の建具枠４１，４１の前面に当接する（押圧する）と、可動扉３によって出入口Ｇが水密状態で閉塞された状態となり、出入口Ｇからの浸水が阻止される。
【００２４】
＜防水扉装置による効果＞
防水扉装置１は、上記の如く、可動扉３の表面の基端縁際および左右両端縁際に、止水ゴムである止水部材３０の第一止水部１４、第二止水部１９，１９が設けられており、可動扉３を起立させて、第二止水部１９，１９を出入口Ｇに設けられた建具枠４１，４１に押圧させることによって出入口Ｇを水密状態で閉塞する構造を有している。したがって、通常状態（可動扉３の倒伏状態）においては、第一止水部１４、第二止水部１９，１９が目立たないので、意匠性に優れており、設置に伴って周囲の景観を損ねる事態が生じない。
【００２５】
また、防水扉装置１は、上記の如く、可動扉３の倒伏位置において、第一止水部１４、第二止水部１９，１９が可動扉３の表面よりも下方に位置するように設けられているとともに、それらの第一止水部１４、第二止水部１９，１９の上方に、蓋部材である基端部蓋部材４および側部蓋部材５，５が着脱自在に設置されている。したがって、通常状態においては、第一止水部１４、第二止水部１９，１９が風雨や紫外線の影響を受けにくく劣化しにいので、長期間に亘って、出入口Ｇを水密状態で閉塞することができる。加えて、通常状態においては、基端部蓋部材４および側部蓋部材５，５によって第一止水部１４、第二止水部１９，１９が露出しないので、非常に意匠性が高く、周囲の景観にマッチし易い。
【００２６】
さらに、防水扉装置は、上記の如く、可動扉３の基端縁際に設置された第一止水部１４の上方の基端部蓋部材４がグレーチングであり、出入口Ｇに設置した場合に、当該基端部蓋部材４と出入口Ｇの床面に付設されているグレーチングとがよくマッチするため、景観に違和感を与える事態が生じない。
【００２７】
＜防水扉装置の変更例＞
本発明に係る防水扉装置の構成は、上記実施形態の態様に何ら限定されるものではなく、可動扉、止水ゴム、蓋部材、収納凹状体等の形状、構造、材質等の構成を、本発明の趣旨を逸脱しない範囲で適宜変更することができる。たとえば、防水扉装置は、可動扉の基端際および左右の端縁際に、それぞれ、止水ゴムを１本ずつ固着させたものに限定されず、可動扉の基端際および／または左右の端縁際に、複数の止水ゴムを固着させたものに変更することも可能である。かかる構成を採用した場合には、出入口の閉塞効果がより一層高いものとなる。
【産業上の利用可能性】
【００２８】
本発明に係る防水扉装置は、上記の如く優れた効果を奏するものであるから、大雨時に出入口からの浸水を防ぐための装置として、好適に利用することができる。
【符号の説明】
【００２９】
１・・防水扉装置
２・・収納凹状体
３・・可動扉（防水扉）
４・・基端部蓋部材
５・・側部蓋部材
１４・・第一止水部
１９・・第二止水部
３０・・止水部材（止水ゴム）
４１・・建具枠
Ｇ・・出入口
【図１】
0005691708.tif 000002
【図２】
0005691708.tif 000003
【図３】
0005691708.tif 000004
【図４】
0005691708.tif 000005
【図５】
0005691708.tif 000006
【図６】
0005691708.tif 000007